(57)【要約】【課題】旋回流形成方式の排水トラップにおいて、排水流量が少なく、排水流路の負圧が強くないときでも排水流路に空気を送り込むことができ、排水流路の負圧が強いときには十分な量の空気を送り込むことができるようにする。【解決手段】排水口３ａからの浴槽３内の水が流入口１２から排水トラップ１０の受入室１１内に流入し、受入室１１内に渦状の旋回流を形成する。受入室１１内の水位が上昇して、ヘアキャッチャー１５が旋回流に浸水する。旋回している水の一部は、流出口１６、流出室１７及び排水管接続部１８を経て排水管１９へ流出する。受入室１１内に渦が形成されると、吸引口２１が大気に露出し、通気路２０を介して空気が排水管１９へ流入し、排水管１９に生じる負圧が軽減される。【選択図】図１
2009264053.tif 000002
【特許請求の範囲】
【請求項１】
洗い場排水の受入口を上部に有すると共に、浴槽排水を浴槽排水流入口から略接線方向に受け入れて旋回流を形成させる受入室を有し、
該受入室内の水が水路最低部位を経て排水流路に流出する排水トラップにおいて、
該受入室内に開口する吸引口と前記排水流路内に開口する吐出口とを連通する通気路が設けられており、
該吸引口は、該受入室内の封水面よりも下位に位置しており、
前記吐出口は前記封水面よりも高位に位置していることを特徴とする排水トラップ。
【請求項２】
請求項１において、前記吸引口は、前記受入室内の旋回中心軸心付近に開口していることを特徴とする排水トラップ。
【請求項３】
請求項１又は２において、前記通気路は、その途中に通気路最低部位を有しており、
該通気路最低部位は前記水路最低部位よりも高位に位置していることを特徴とする排水トラップ。
【請求項４】
請求項１ないし３のいずれか１項において、前記通気路に連なり、前記受入室の封水面よりも上方にまで立ち上がり、大気に通じた副通気路を備えたことを特徴とする排水トラップ。
【請求項５】
請求項４において、前記受入室内に浴槽排水が流入しているときに前記吸引口を閉又は小開度とし、浴槽排水の流入が停止すると吸引口を開又は大開度に復帰させる弁体を備えたことを特徴とする排水トラップ。
【請求項６】
請求項５において、前記弁体は、浴槽排水の流入水勢によって前記吸引口を閉じる方向に移動可能に設けられていることを特徴とする排水トラップ。
【請求項７】
請求項６において、前記弁体に、前記吸引口を閉じる方向に移動したときに該吸引口に入り込むクリーニングピンが設けられていることを特徴とする排水トラップ。
【請求項８】
請求項１ないし４のいずれか１項において、前記吸引口に対峙して、吸引口への流入水量を減少させるためのバッフルが設けられていることを特徴とする排水トラップ。
【請求項９】
請求項１ないし８のいずれか１項において、前記受入室の底部の中心部に、該受入室内の水を前記排水流路へ流出させるための流出口が設けられており、この流出口の口径が受入室の内径よりも小さいことを特徴とする排水トラップ。
【請求項１０】
請求項１ないし９のいずれか１項において、前記通気路の前記吐出口付近は、前記排水流路の排水流れ方向に沿って延在しており、
該吐出口は前記排水流路の下流方向を指向して開口していることを特徴とする排水トラップ。
【発明の詳細な説明】
【技術分野】
【０００１】
本発明は、浴室の洗い場に設けられる排水トラップに係り、特に浴槽排水を受け入れてトラップ内に旋回流を形成させるよう構成された排水トラップに関する。
【背景技術】
【０００２】
洗い場排水を受け入れる洗い場排水受入口が上部に設けられていると共に、浴槽排水を側周面から受入室内に受け入れて該受入室内に旋回流を形成させるようにした排水トラップが特許第３８８６０５５号及び特開２００７−２１１５８０号に記載されている。このトラップの洗い場排水受入口には、上方が開放したカゴ（篭）状のヘアキャッチャーが着脱自在に装着されている。このヘアキャッチャーは、トラップ内の軸心部付近に垂下している。浴槽排水がトラップ内に流入し、トラップ内の水位が上昇して旋回流が形成されると、このヘアキャッチャーが旋回流に浸漬され、ヘアキャッチャー内の毛髪などのゴミがヘアキャッチャーの中心に集められる。これにより、ゴミを摘んで捨てることができるようになる。また、ヘアキャッチャーの内外面が旋回流に浸漬されて浄化され、ヌメリ等が除去される。
【０００３】
この特許第３８８６０５５号及び特開２００７−２１１５８０号の排水トラップにあっては、受入室は略円筒形である。受入室内で旋回流を形成している水は、受入室の周壁の下部から側方の流出室へ流出し、排水管へ排出されるよう構成されている。
【０００４】
上記特開２００７−２１１５８０号には、排水管内で発生する負圧を抑制するために、受入室の封水面よりも上位と、流出室内の下部とを連通する連通管を設けることが記載されている。排水管内の負圧が強くなったときに、この連通管を介して大気が流出室に吸い込まれ、これにより排水管の負圧が抑制される。
【特許文献１】特許第３８８６０５５号
【特許文献２】特開２００７−２１１５８０号
【発明の開示】
【発明が解決しようとする課題】
【０００５】
上記特開２００７−２１１５８０号では、連通管の末端が流出室の下部において下向きに開口しているため、流出室内の水の多くが排水管へ吸い出されないと、連通管を介して空気が流出室へ導入されない。
【０００６】
本発明は、排水流路の流量が少なく、排水流路の負圧がそれほど強くないときでも排水流路に空気を送り込むことができ、しかも排水流路の負圧が強いときには十分な量の空気を排水流路に送り込むことができる排水トラップを提供することを目的とする。
【課題を解決するための手段】
【０００７】
本発明（請求項１）の排水トラップは、洗い場排水の受入口を上部に有すると共に、浴槽排水を浴槽排水流入口から略接線方向に受け入れて旋回流を形成させる受入室を有し、該受入室内の水が水路最低部位を経て排水流路に流出する排水トラップにおいて、該受入室内に開口する吸引口と前記排水流路内に開口する吐出口とを連通する通気路が設けられており、該吸引口は、該受入室内の封水面よりも下位に位置しており、前記吐出口は前記封水面よりも高位に位置していることを特徴とするものである。
【０００８】
請求項２の排水トラップは、請求項１において、前記吸引口は、前記受入室内の旋回中心軸心付近に開口していることを特徴とするものである。
【０００９】
請求項３の排水トラップは、請求項１又は２において、前記通気路は、その途中に通気路最低部位を有しており、該通気路最低部位は前記水路最低部位よりも高位に位置していることを特徴とするものである。
【００１０】
請求項４の排水トラップは、請求項１ないし３のいずれか１項において、前記通気路に連なり、前記受入室の封水面よりも上方にまで立ち上がり、大気に通じた副通気路を備えたことを特徴とするものである。
【００１１】
請求項５の排水トラップは、請求項４において、前記受入室内に浴槽排水が流入しているときに前記吸引口を閉又は小開度とし、浴槽排水の流入が停止すると吸引口を開又は大開度に復帰させる弁体を備えたことを特徴とするものである。
【００１２】
請求項６の排水トラップは、請求項５において、前記弁体は、浴槽排水の流入水勢によって前記吸引口を閉じる方向に移動可能に設けられていることを特徴とするものである。
【００１３】
請求項７の排水トラップは、請求項６において、前記弁体に、前記吸引口を閉じる方向に移動したときに該吸引口に入り込むクリーニングピンが設けられていることを特徴とするものである。
【００１４】
請求項８の排水トラップは、請求項１ないし４のいずれか１項において、前記吸引口に対峙して、吸引口への流入水量を減少させるためのバッフルが設けられていることを特徴とするものである。
【００１５】
請求項９の排水トラップは、請求項１ないし８のいずれか１項において、前記受入室の底部の中心部に、該受入室内の水を前記排水流路へ流出させるための流出口が設けられており、この流出口の口径が受入室の内径よりも小さいことを特徴とするものである。
【００１６】
請求項１０の排水トラップは、請求項１ないし９のいずれか１項において、前記通気路の前記吐出口付近は、前記排水流路の排水流れ方向に沿って延在しており、該吐出口は前記排水流路の下流方向を指向して開口していることを特徴とするものである。
【発明の効果】
【００１７】
本発明（請求項１）の排水トラップは、洗い場排水と浴槽排水とを受け入れる旋回流形成方式の排水トラップに関するものである。
【００１８】
この排水トラップの受入室内に浴槽排水が流入すると、水は、旋回により渦状となり、その後、水路の最低部位を経て排水流路へ流出する。
【００１９】
本発明では、この受入室内の封水面よりも下位に通気路の吸引口を配置し、排水流路の封水面よりも高位の箇所に通気路の吐出口を配置している。
【００２０】
排水流路に負圧が発生し、受入室内の水位が低下して吸引口が大気に露出すると、吸引口から通気路内に空気が流入し、排水流路に空気が供給され、排水流路の負圧が抑制される。
【００２１】
本発明では、吐出口が排水流路内において封水面よりも高位に開口しているので、排水流路の負圧によって通気路内の水が該排水流路に吸い出され易く、排水流量が少ないときでも排水流路に空気が導入され、負圧が抑制される。もちろん、排水流量が多いときには、十分な量の空気が通気路を介して排水流路に導入され、負圧が十分に抑制され、トラップの破封が効果的に抑制される。
【００２２】
排水が終了すると、この排水トラップに封水が溜まると共に、吸引口から通気路内に水が流入し、通気路内が水で封じられた状態となる。この結果、排水流路内の臭気が受入室に逆流することが防止されるようになる。
【００２３】
請求項２の排水トラップでは、吸引口が受入室内の中心軸付近に位置している。受入室内で水が旋回すると、渦の中心部の水位が最も低くなるので、吸引口が速やかに大気に露出することになる。この結果、排水流路に早期に空気が送り込まれ、排水流路の負圧が効果的に抑制されるようになる。
【００２４】
請求項３の排水トラップにあっては、通気路の最低部位が水路最低部位よりも高位に位置しているので、排水流路に負圧が発生した場合、通気路が早期に破封し、空気が排水流路に導入される。このため、水路が破封するリスクが低減される。
【００２５】
請求項４の排水トラップでは、大気に通じた副通気路が設けられており、この副通気路から空気が通気路に導入可能である。そのため、排水流路により早期に空気を送り込むことができる。なお、吸引口を小さくしても排水流路に十分に空気を送り込むことが可能である。吸引口を小さくした場合には、通気路を経て排水流路に流れ込む水量を減少させ、副通気路から取り込む空気量を多くすることができる。
【００２６】
請求項５〜７の排水トラップによると、受入室に浴槽排水が流入しているときに吸引口からの水の流入を減少又は停止し、副通気路から多量の空気を取り込んで排水流路に送り込むことができる。
【００２７】
浴槽排水の流入が停止すると、吸引口が開又は大開度となり、通気路内に水が流入し、通気路内に封水が溜まる。
【００２８】
請求項６の排水トラップにあっては、浴槽排水の流入及び流入停止に伴って弁体が閉、開動作するので、排水トラップの機構が簡易となる。
【００２９】
請求項７の排水トラップにあっては、弁体が吸引口を閉又は小開度とするように動作したときにクリーニングピンが吸引口に入り込むので、吸引口のクリーニング（掃除）が行われる。
【００３０】
請求項８の排水トラップにあっては、受入室内で旋回している水が受入室の底面中央から流出するので、受入室内に安定した旋回渦流が形成される。また、この渦の中心部の水位が早期に低下するようになるので、上記請求項２のように吸引口を受入室の中心軸付近に位置させた場合、吸引口が早期に大気に露出し、空気が早期に排水流路に送り込まれるようになる。
【発明を実施するための最良の形態】
【００３１】
以下に、本発明の実施の形態を図面に基づいて説明する。
【００３２】
第１図は浴室の床部に設置された、実施の形態に係る排水トラップの断面図であり、（ａ）図は浴槽が空の状態を示し、（ｂ）図は浴槽から排水を行っている状態を示している。第２図は第１図（ａ）のII−II線断面図である。
【００３３】
浴室１の洗い場パン２の浴槽３側に排水枡４が一体形成されている。この排水枡４に対し下側から排水トラップ１０が連結されている。排水トラップ１０は、軸心線方向を鉛直方向とした略円筒形の受入室１１を有している。
【００３４】
この受入室１１の側面の流入口１２と浴槽３の底面の排水口３ａとが配管５を介して接続されている。この流入口１２は受入室１１に対し接線方向に水を流入させるように設けられている。
【００３５】
受入室１１の上面部には、洗い場パン２側からの排水が排水枡４を通り流入する洗い場排水受入口１３が設けられている。
【００３６】
排水枡４は洗い場パン２と一体状に凹み状に形成されている。その上面には排水目皿（図示略）が覆設されている。
【００３７】
排水枡４の底側にはフランジ部材１４がパッキン（図示略）を介して取り付けられ、このフランジ部材１４にネジ込み方式により、排水トラップ１０の上端が取り付けられている。フランジ部材１４を通して、受入口１３内に上方から着脱可能にヘアキャッチャー１５が差し込まれている。このヘアキャッチャー１５は、上面が開いたカゴ（篭）状である。
【００３８】
この実施の形態では、ヘアキャッチャー１５は下方側へ向かって縮径する略逆円錐台形状を有する。ヘアキャッチャー１５は、その下端が排水トラップ１０内の封水面Ｗよりも若干上方に位置するように設置されている。なお、ヘアキャッチャー１５は、排水トラップ１０内に形成される旋回流によって上方に押されても浮き上がらないようにフランジ部材１４に係止されている。
【００３９】
受入室１１の底面の中央に流出口１６が設けられている。この流出口１６の口径は、受入室１１の内径よりも小さいものとなっている。受入室１１の下側から側面にかけて流出室１７が設けられている。
【００４０】
この実施の形態では、流出室１７は流入口１２と反対側に設けられているが、これに限定されない。流出室１７は、受入室１１の外側面に沿って封水面Ｗよりも上方にまで立ち上がっている。この流出室１７の上部に、排水流路としての排水管接続部１８が連なっている。この排水管接続部１８に排水管１９が接続される。この排水管接続部１８の底面のレベルが封水面Ｗとなっている。
【００４１】
受入室１１内とこの排水管１４とを連通するように通気路２０が設けられている。この通気路２０の受入室１１側の端部が吸引口２１であり、排水管１４側の端部が吐出口２２である。
【００４２】
吸引口２１は、受入室１１の封水面Ｗよりも下位且つ受入室１１の底面よりも上位に位置している。吸引口２１は、好ましくは封水面Ｗから０〜２０ｍｍ程度下位に設けられる。この実施の形態では、吸引口２１は受入室１１の軸心線付近に位置している。
【００４３】
通気路２０は、受入室１１内を半径方向に延在し、受入室１１の周壁を貫いて流出室１７内に入り、該流出室１７内で下方に略Ｕ字形に湾曲している。即ち、通気路２０は、流出室１７内で一端立ち下がり、最低位部２３を経て立ち上がり、吐出口２２に至っている。
【００４４】
この実施の形態では、通気路２０の末端部は排水管接続部１８の管軸方向に沿って下流方向に延在しておりこの吐出口２２は、排水管接続部１８の流れ方向の下流方向を指向している。この吐出口２２は封水面Ｗよりも高位のレベルに位置している。この最低位部２３は、流出室１７の底面すなわち排水トラップ１０の水路最低位部よりも上位に位置している。
【００４５】
このように構成された排水トラップの作動について次に説明する。
【００４６】
水を張った浴槽３の排水口３ａの排水栓を抜くと、浴槽３内の水が流入口１２から排水トラップ１０の受入室１１内に流入し、この受入室１１内に渦状の旋回流を形成する。受入室１１内の水位は次第に上昇し、ヘアキャッチャー１５あるいはさらに排水枡４が旋回流に浸水した状態となる。これにより、排水枡４の内面やヘアキャッチャー１５に付着しているゴミや毛髪がこすり落とされて、ゴミや髪の毛は渦の中心に集められ、渦の中心から下方へ落下し、ヘアキャッチャー１５の下端の底面中央部に良好に集められる。
【００４７】
受入室１１内で旋回している水の一部は、渦の中心付近から受入室１１の底部中央の流出口１６、流出室１７及び排水管接続部１８を経て排水管１９へ流出する。
【００４８】
受入室１１内に渦が形成されると、受入室１１内の中央部の水面が凹み、吸引口２１が大気に露出する。このため通気路２０を介して空気が排水管１９へ流入し、排水管１９に生じる負圧が軽減される。この結果、排水トラップ１０の流出室１７の水が殆どすべて排水管１９へ吸い出されて排水トラップが破封することが防止される。なお、この実施の形態では、通気路２０の末端側が排水管１９の下流方向に向かって延在しているので、通気路２０から排水管１９へ空気がスムーズに吸い出される。
【００４９】
この実施の形態では、受入室１１内の渦状の旋回流が小口径の流出口１６を経て流出室１７へ流出する。この流出口１６付近では、旋回半径が受入室１１内における旋回半径よりも小さいため、旋回流速が大きい。この結果、受入室１１内の旋回流も、この流出口１６付近の高旋回流速に付随して高速となる。この結果、浴槽３の水位が低く流入口１２からの流入水量が少ない場合でも、受入室１１内に強力な旋回流が形成され、ヘアキャッチャー１５や排水枡４が十分に洗浄される。また、ゴミがヘアキャッチャー１５の中心部に効率よく集められる。
【００５０】
浴槽３からすべての水が流出すると、旋回流は停止し、排水トラップ１０内には封水面Ｗのレベルの封水が残る。また、通気路２０内にも吸引口２１から水が流入し、通気路２０内にも封水面Ｗまで封水が存在する。
【００５１】
これにより、排水管１９側と洗い場及び浴槽３側とはいずれも封水によって隔絶されることになり、排水管１９の臭気が洗い場や浴槽３へ逆流することが防止される。
【００５２】
第４図は別の実施の形態に係る排水トラップの縦断面図、第３図はこの実施の形態で用いられるヘアーキャッチャーの断面図である。
【００５３】
この実施の形態では、通気路２０Ａとして、吸引口２１の近傍から上方に立ち上がって大気に開放した副通気路を有したものが用いられている。この副通気路は、通気路２０Ａと一体の下部副通気路２４と、ヘアーキャッチャー１５と一体の上部副通気路２５とを備えている。ヘアーキャッチャー１５を排水枡４に装着するときに、上部副通気路２５の下端を下部副通気路２４の上端に差し込んで両者を接続する。吸引口２１は、受入室１１内の側周面近傍に位置している。
【００５４】
第４図（ａ），（ｂ）のその他の構成は第１図（ａ），（ｂ）と同一であり、同一符号は同一部分を示している。
【００５５】
この排水トラップ１０Ａの排水時の動作は、通気路２０Ａ内に副通気路２４，２５を介して空気が取り込まれること以外は第１図（ａ），（ｂ）と同様である。
【００５６】
この実施の形態では、通気路２０Ａは副通気路２４，２５を介して常時大気に連通しているので、排水管１９に負圧が発生すると、早期に空気が排水管１９に送り込まれ、負圧が抑制される。水没状態の吸引口２１からは水が通気路２０Ａ内に流入し、この水は水泡状となって通気路２０Ａ内を流れる。
【００５７】
この場合、吸引口２１の口径を小さくし、水没状態の吸引口２１から通気路２０Ａ内に流れ込む水量を減少させ、副通気路２４，２５からの空気取り込み量を多くすることができる。なお、受入室１１内の水位が低下して吸引口２１が大気に露出したときには、吸引口２１からも空気が取り込まれる。
【００５８】
第５図の排水トラップ１０Ｂは、第４図の排水トラップ１０Ａにおいて吸引口２１に対面してバッフル２６を設けたものである。第５図のその他の構成は第４図と同一である。バッフル２６は、この実施の形態では板状であるが、これに限定されない。バッフル２６は、吸引口２１の開口面積よりも大きいことが好ましい。バッフル２６と吸引口２１との間隔は１〜１０ｍｍ程度が好ましい。また、バッフル２６の面積は、吸引口２１の開口面積の１〜１００倍程度であることが好ましい。このバッフル２６を設けたとことにより、浴槽排水流入時に吸引口２１から通気路２０Ａ内に流入する水量が減少し、副通気路２５，２４を介して空気を効率よく排水管１９へ送り込むことができる。
【００５９】
第６図はさらに別の実施の形態に係る排水トラップ１０Ｃの縦断面図である。
【００６０】
この実施の形態では、通気路２０Ｂの吸引口２１は、流入口１２の近傍において流入口１２の上面と略同レベルにて下向きに開口している。この通気路２０Ｂの吸引口２１の近傍からは上方へ副通気路２４，２５が立設されている。
【００６１】
流入口１２には、浴槽排水の水勢によって支軸３２回りに回動するように弁体３０が設けられている。この弁体３０に、吸引口２１内に入り込むクリーニングピン３１が設けられている。その他の構成は第１図（ａ），（ｂ）と同一であり、同一符号は同一部分を示している。
【００６２】
この排水トラップ１０Ｃに対し浴槽３からの排水が流れ込まないときには、弁体３０は垂下姿勢をとり、吸引口２１は開放している。通気路２０Ｂ内には封水面Ｗレベルまで水が溜っている。
【００６３】
浴槽３から排水が流れ込んでくると、この水勢によって弁体３０が支軸３２回りに上方に回動し、上記各実施の形態と同じく受入室１１内に旋回流が形成される。弁体３０が回動すると、弁体３０が吸引口２１に下側から当接すると共に、クリーニングピン３１が吸引口２１に入り込む。これにより、吸引口２１が塞がれた状態となり、通気路２０Ｂ内には専ら副通気路２５，２４を介して空気が流入し、排水管１９へ多量の空気が送り込まれる。これにより、排水管１９の負圧が抑制される。
【００６４】
浴槽３からの排水の流入が停止すると、弁体３０は第６図（ａ）の垂下姿勢に戻り、吸引口２１が開放し、通気路２０Ｂ内に封水面Ｗレベルまで水が入り込む。
【００６５】
この実施の形態では、クリーニングピン３１が吸引口２１に出入りするので、吸引口２１がクリーニング（清掃）され、吸引口２１の閉塞が防止される。
【００６６】
上記実施の形態は本発明の一例であり、本発明は図示以外の態様をもとりうる。例えば、吸引口２１にメッシュを設けてもよい。
【図面の簡単な説明】
【００６７】
【図１】実施の形態に係る排水トラップの縦断面図である。
【図２】図１のII−II線断面図である。
【図３】別の排水トラップに用いられるヘアーキャッチャーの断面図である。
【図４】別の実施の形態に係る排水トラップの縦断面図である。
【図５】別の実施の形態に係る排水トラップの縦断面図である。
【図６】別の実施の形態に係る排水トラップの縦断面図である。
【符号の説明】
【００６８】
３  浴槽
４  排水枡
１０，１０Ａ，１０Ｂ，１０Ｃ  排水トラップ
１１  受入室
１２  流入口
１６  流出口
１７  流出室
１８  排水管接続部
１９  排水管
２０  通気路
２１  吸引口
２２  吐出口
２３  通気路最低位部
２６  バッフル
３０  弁体
３１  クリーニングピン
【図１】
2009264053.tif 000003
【図２】
2009264053.tif 000004
【図３】
2009264053.tif 000005
【図４】
2009264053.tif 000006
【図５】
2009264053.tif 000007
【図６】
2009264053.tif 000008